(57)【特許請求の範囲】
【請求項１】
回転軸と、金属製のケーシング部とを有するポンプ本体と、
前記ケーシング部に取り付けられ、前記ケーシング部の温度を検出する第１の温度センサと、
永久磁石を含み前記回転軸に取り付けられたロータコアと、複数のコイルを有するステータコアと、前記ロータコアを収容するキャンと、を有するモータと、
あらかじめ設定された誘起電圧定数を基に前記モータを回転させる駆動信号を前記複数のコイルへ供給する駆動回路と、前記第１の温度センサの出力に基づいて前記誘起電圧定数を補正する補正回路とを有する制御ユニットと
を具備する真空ポンプ。
【請求項２】
請求項１に記載の真空ポンプであって、
前記補正回路は、前記ケーシング部の温度が所定の温度範囲の場合には、前記ケーシング部の温度が高いほど前記モータの誘起電圧が低下するように前記誘起電圧定数を補正する
真空ポンプ。
【請求項３】
請求項２に記載の真空ポンプであって、
前記補正回路は、前記ケーシング部の温度が第１の温度以上第２の温度未満の場合には、第１の温度勾配を有する第１の近似直線に従って前記誘起電圧定数を補正し、前記ケーシング部の温度が前記第２の温度以上第３の温度未満の場合には、前記第１の温度勾配とは異なる第２の温度勾配を有する第２の近似直線に従って前記誘起電圧定数を補正する
真空ポンプ。
【請求項４】
請求項３に記載の真空ポンプであって、
前記第１の温度勾配は、前記第２の温度勾配よりも大きい
真空ポンプ。
【請求項５】
請求項１〜４のいずれか１つに記載の真空ポンプであって、
前記制御ユニットは、前記駆動回路の温度を検出する第２の温度センサをさらに有し、
前記駆動回路は、前記駆動回路の温度が前記第３の温度以上の場合には、前記複数のコイルへの前記駆動信号の供給を停止する
真空ポンプ。
【請求項６】
永久磁石同期型のモータを備えた真空ポンプの制御方法であって、
あらかじめ設定された誘起電圧定数を基に前記モータを回転させる駆動信号を生成し、
ポンプ本体の一部を構成する金属製のケーシング部に取り付けられた温度センサの出力に基づいて、前記誘起電圧定数を補正する
真空ポンプの制御方法。
【請求項７】
請求項６に記載の真空ポンプの制御方法であって、
前記ケーシング部の温度が所定の温度範囲の場合には、前記ケーシング部の温度が高いほど前記モータの誘起電圧が低下するように前記誘起電圧定数を補正する
真空ポンプの制御方法。
【請求項８】
請求項７に記載の真空ポンプの制御方法であって、
前記ケーシング部の温度が第１の温度以上第２の温度未満の場合には、第１の温度勾配を有する第１の近似直線に従って前記誘起電圧定数を補正し、
前記ケーシング部の温度が前記第２の温度以上第３の温度未満の場合には、前記第１の温度勾配とは異なる第２の温度勾配を有する第２の近似直線に従って前記誘起電圧定数を補正する
真空ポンプの制御方法。
【発明の詳細な説明】
【技術分野】
【０００１】
本発明は、永久磁石同期モータを備えた真空ポンプおよびその制御方法に関する。
【背景技術】
【０００２】
メカニカルブースタポンプは、ケーシング内部のポンプ室に配置された二つのマユ型ポンプロータを互いに反対方向に同期回転させて吸気口から排気口へ気体を移送する容積移送型の真空ポンプである。メカニカルブースタポンプは、両ポンプロータ間および各ポンプロータとケーシングとの間での接触がないため、機械的損失が非常に少なく、例えば油回転真空ポンプのような摩擦仕事の大きい真空ポンプに比べて、駆動に要するエネルギーを少なくできるという利点を有する。
メカニカルブースタポンプは、典型的には補助ポンプとともに真空排気系を構成し、補助ポンプである程度まで圧力を下げた後に運転を開始して排気速度を増幅させるために用いられる。【０００３】
この種の真空ポンプにおいては、各ポンプロータを回転させる駆動源として、キャンドモータが広く用いられている。キャンドモータは、ロータコアとステータコアとの間の隙間に挿入された円筒状のキャンを有する。ロータコアはキャンによって密封されるため、軸受部を介してロータコア内に侵入した気体の大気（外気）側への漏出が防止される。例えば特許文献１には、永久磁石同期型のキャンドモータが開示されている。【０００４】
一方、永久磁石同期モータにおいては、ロータコアに固定された永久磁石が温度特性を有するため、温度変化に伴う永久磁石の磁束量の変化がモータ制御やポンプ性能に大きな影響を与える場合がある。例えば、高負荷によりモータ温度が高温になると、永久磁石の磁束量の減少によりモータが脱調してしまい、所望とするポンプ性能が得られなくなる。
また仮に定格動力で安定する温度で発揮される磁束を想定したとしても、始動時から安定温度になる迄はポンプ性能が維持できない。【０００５】
このような問題を解消するため、例えば特許文献２には、永久磁石電動機のハウジング部に取り付けられた温度検出器でインバータ内部の温度を検出し、温度検出器により検出された温度から、永久磁石の温度を推定し、推定された温度に基づき電動機を制御するための制御定数を補正するポンプ装置が提案されている。
【先行技術文献】
【特許文献】
【０００６】
【特許文献１】特開２００８−２９５２２２号公報
【特許文献２】特開２０１６−１１１７９３号公報
【発明の概要】
【発明が解決しようとする課題】
【０００７】
特許文献２に記載のポンプ装置においては、電動機のハウジング部の温度を基に永久磁石の温度を推定している。しかしながら、上記ハウジング部の温度特性がロータコアの永久磁石の温度特性と異なるため、電動機の適切な回転数制御を実現することが困難である。【０００８】
以上のような事情に鑑み、本発明の目的は、熱変動が生じたとしてもポンプ性能を安定に維持することができる真空ポンプおよびその制御方法を提供することにある。
【課題を解決するための手段】
【０００９】
上記目的を達成するため、本発明の一形態に係る真空ポンプは、ポンプ本体と、第１の温度センサと、モータと、制御ユニットとを具備する。
上記ポンプ本体は、回転軸と、金属製のケーシング部とを有する。
上記第１の温度センサは、上記ケーシング部に取り付けられ、上記ケーシング部の温度を検出する。
上記モータは、永久磁石を含み上記回転軸に取り付けられたロータコアと、複数のコイルを有するステータコアと、上記ロータコアを収容するキャンと、を有する。
上記制御ユニットは、駆動回路と、補正回路とを有する。上記駆動回路は、あらかじめ設定された誘起電圧定数を基に上記モータを回転させる駆動信号を上記複数のコイルへ供給する。上記補正回路は、上記第１の温度センサの出力に基づいて、上記誘起電圧定数を補正する。【００１０】
上記真空ポンプによれば、第１の温度センサが、ロータコアの永久磁石と同様の熱時定数を持つように構成されたポンプ本体のケーシング部の温度を検出するように構成されているため、永久磁石の温度の推定精度が高められる。これにより、熱変動が生じたとしても、誘起電圧定数の最適化を図ることができるため、ポンプ性能を安定に維持することができる。【００１１】
上記補正回路は、典型的には、上記ケーシング部の温度が所定の温度範囲の場合には、上記ケーシング部の温度が高いほど上記モータの誘起電圧が低下するように上記誘起電圧定数を補正するように構成される。
これにより、モータ温度の上昇に伴う永久磁石の磁束量の減少によるモータの脱調を防いで、真空ポンプの高負荷連続運転を実現することができる。【００１２】
上記補正回路は、上記ケーシング部の温度が第１の温度以上第２の温度未満の場合には、第１の温度勾配を有する第１の近似直線に従って上記誘起電圧定数を補正し、上記ケーシング部の温度が上記第２の温度以上第３の温度未満の場合には、上記第１の温度勾配とは異なる第２の温度勾配を有する第２の近似直線に従って上記誘起電圧定数を補正するように構成されてもよい。【００１３】
上記制御ユニットは、上記駆動回路の温度を検出する第２の温度センサをさらに有してもよい。上記駆動回路は、上記駆動回路の温度が上記第３の温度以上の場合には、上記複数のコイルへの上記駆動信号の供給を停止する。
駆動回路の温度を検出する第２の温度センサが第１の温度センサとは別に設けられているため、駆動回路の温度を適切に検出することができる。【００１４】
本発明の一形態に係る真空ポンプの制御方法は、永久磁石同期型のモータを備えた真空ポンプの制御方法であって、あらかじめ設定された誘起電圧定数を基に上記モータを回転させる駆動信号を生成することを含む。
ポンプ本体の一部を構成する金属製のケーシング部に取り付けられた温度センサの出力に基づいて、上記誘起電圧定数が補正される。
【発明の効果】
【００１５】
以上述べたように、本発明によれば、熱変動が生じたとしてもポンプ性能を安定に維持することができる。
【図面の簡単な説明】
【００１６】
【図１】本発明の一実施形態に係る真空ポンプの一方側から見た全体斜視図である。
【図２】上記真空ポンプの他方側から見た全体斜視図である。
【図３】上記真空ポンプの内部構造を示す概略拡大横断面図である。
【図４】上記真空ポンプの内部構造を示す概略側断面図である。
【図５】上記真空ポンプにおける制御ユニットの構成を概略的に示すブロック図である。
【図６】上記制御ユニットによる補正回路の内部電圧の制御例を示す図である。
【図７】所定条件で運転させたときの上記真空ポンプの各部の温度変化を示す一実験結果である。
【図８】上記真空ポンプにおける第１の温度センサの取り付け例を説明する斜視図である。
【図９】上記第１の温度センサを用いた温度検出方法を説明する等価回路図である。
【図１０】上記制御ユニットにおける補正回路の作用を説明する概念図である。
【図１１】上記第１の温度センサに基づくモータのロータコア推定温度と入力電圧との関係を示す図である。
【図１２】上記制御ユニットによって実行される処理手順の一例を示すフローチャートである。
【発明を実施するための形態】
【００１７】
以下、図面を参照しながら、本発明の実施形態を説明する。
【００１８】
［全体構成］
図１は本発明の一実施形態に係る真空ポンプの一方側から見た全体斜視図、図２は上記真空ポンプの他方側から見た全体斜視図、図３は上記真空ポンプの内部構造を示す概略拡大横断面図、図４は上記真空ポンプの内部構造を示す概略側断面図である。
図においてＸ軸、Ｙ軸およびＺ軸は、相互に直交する３軸方向を示している。
【００１９】
本実施形態の真空ポンプ１００は、ポンプ本体１０と、モータ２０と、制御ユニット３０とを有する。真空ポンプ１００は、単段のメカニカルブースタポンプで構成される。
【００２０】
（ポンプ本体）
ポンプ本体１０は、第１のポンプロータ１１と、第２のポンプロータ１２と、第１及び第２のポンプロータ１１，１２を収容するケーシング１３とを有する。
【００２１】
ケーシング１３は、第１のケーシング部１３１と、第１のケーシング部１３１のＹ軸方向の両端に配置された隔壁１３２，１３３と、隔壁１３３に固定された第２のケーシング部１３４とを有する。第１のケーシング部１３１および隔壁１３２，１３３は、第１及び第２のポンプロータ１１，１２を収容するポンプ室Ｐを形成する。
【００２２】
第１のケーシング部１３１及び隔壁１３２，１３３は、例えば、鋳鉄やステンレス鋼等の鉄系金属材料で構成され、図示しないシールリングを介して相互に結合されている。第２のケーシング部１３４は、例えば、アルミニウム合金等の非鉄系金属材料で構成される。
【００２３】
第１のケーシング部１３１の一方の主面にはポンプ室Ｐに連通する吸気口Ｅ１が形成され、その他方の主面にはポンプ室Ｐに連通する排気口Ｅ２が形成される。吸気口Ｅ１には、図示しない真空チャンバの内部と連絡する吸気管が接続され、排気口Ｅ２には、図示しない排気管あるいは補助ポンプの吸気口と接続される。
【００２４】
第１及び第２のポンプロータ１１，１２は、鋳鉄等の鉄系材料からなるマユ型ロータで構成され、Ｘ軸方向に相互に対向して配置される。第１及び第２のポンプロータ１１，１２は、Ｙ軸方向に平行な回転軸１１ｓ，１２ｓをそれぞれ有する。各回転軸１１ｓ，１２ｓの一端部１１ｓ１，１２ｓ１側は、隔壁１３２に固定されたベアリングＢ１に回転可能に支持されており、各回転軸１１ｓ，１２ｓの他端部１１ｓ２，１２ｓ２側は、隔壁１３３に固定されたベアリングＢ２に回転可能に支持される。第１のポンプロータ１１と第２のポンプロータ１２との間、および、各ポンプロータ１１，１２とポンプ室Ｐの内壁面との間には所定の隙間が形成されており、各ポンプロータ１１，１２は相互に及びポンプ室Ｐの内壁面に非接触で回転するように構成される。
【００２５】
第１のポンプロータ１１の回転軸１１ｓの一端部１１ｓ１には、モータ２０を構成するロータコア２１が固定され、ロータコア２１とベアリングＢ１との間には第１の同期ギヤ１４１が固定される。第２のポンプロータ１２の回転軸１２ｓの一端部１２ｓ１には、第１の同期ギヤ１４１と噛み合う第２の同期ギヤ１４２が固定されている。モータ２０の駆動により、第１及び第２のポンプロータ１１，１２は、同期ギヤ１４１，１４２を介して相互に逆方向に回転し、これにより吸気口Ｅ１から排気口Ｅ２へ気体が移送される。
【００２６】
（モータ）
モータ２０は、永久磁石同期型のキャンドモータで構成される。モータ２０は、ロータコア２１と、ステータコア２２と、キャン２３と、モータケース２４とを有する。
【００２７】
ロータコア２１は、第１のポンプロータ１１の回転軸１１ｓの一端部１１ｓ１に固定される。ロータコア２１は、電磁鋼板の積層体とその周面に取り付けられた複数の永久磁石Ｍとを有する。永久磁石Ｍは、ロータコア２１の周囲に沿って極性（Ｎ極、Ｓ極）を交互に異ならせて配置される。
【００２８】
本実施形態では、永久磁石材料として、ネオジム磁石やフェライト磁石等の鉄系材料が用いられる。永久磁石の配置形態は特に限定されず、ロータコア２１の表面に永久磁石が配置される表面磁石型（ＳＰＭ）であってもよいし、ロータコア２１に永久磁石が埋め込まれる埋込磁石型（ＩＰＭ）であってもよい。
【００２９】
ステータコア２２は、ロータコア２１の周囲に配置され、モータケース２４の内壁面に固定される。ステータコア２２は、電磁鋼板の積層体とそれに巻回された複数のコイルＣとを有する。コイルＣは、Ｕ相巻線、Ｖ相巻線およびＷ相巻線を含む三相巻線で構成され、それぞれ制御ユニット３０に電気的に接続される。
【００３０】
キャン２３は、ロータコア２１とステータコア２２との間に配置され、内部にロータコア２１を収容する。キャン２３は、ＰＰＳ（ポリフェニレンサルファイド）、ＰＥＥＫ（ポリエーテルエーテルケトン）等の合成樹脂材料で構成された、ギヤ室Ｇ側の一端が開口する有底の円筒部材である。キャン２３は、その開口端部側の周囲に装着されたシールリングＳを介してモータケース２４に固定され、ロータコア２１を大気（外気）から封止する。
【００３１】
モータケース２４は、例えば、アルミニウム合金で構成され、ロータコア２１、ステータコア２２、キャン２３および同期ギヤ１４１，１４２を収容する。モータケース２４は、図示しないシールリングを介して隔壁１３２に固定されることで、ギヤ室Ｇを形成する。ギヤ室Ｇは、同期ギヤ１４１，１４２およびベアリングＢ１を潤滑するための潤滑油を収容する。モータケース２４の外表面には、典型的には、複数の放熱フィンが設けられる。
【００３２】
モータケース２４の先端はカバー２５で被覆されている。カバー２５には外気と連通可能な通孔が設けられており、モータ２０に隣接して配置された冷却ファン５０を介してロータコア２１やステータコア２２を冷却することが可能に構成される。冷却ファン５０に代えて又は加えて、モータケース２４を水冷可能な構造にしてもよい。
【００３３】
（制御ユニット）
図５は、制御ユニット３０の構成を概略的に示すブロック図である。
【００３４】
図５に示すように、制御ユニット３０は、駆動回路３１と、位置検出部３２と、ＳＷ（スイッチング）制御部３３とを有する。制御ユニット３０は、モータ２０の駆動を制御するためのものである。制御ユニット３０は、モータケース２４に設置された金属製等のケース内に収容された回路基板やその上に搭載された各種電子部品で構成される。
【００３５】
駆動回路３１は、モータ２０を所定の回転数で回転させる駆動信号を生成する。複数の半導体スイッチング素子（トランジスタ）を有するインバータ回路で構成される。これら半導体スイッチング素子は、ＳＷ制御部３３により開閉タイミングが個別に制御されることにより、ステータコア２２のコイルＣ（Ｕ相巻線、Ｖ相巻線およびＷ相巻線）へ供給される駆動信号をそれぞれ生成する。
【００３６】
駆動回路３１は、温度センサ４２（第２の温度センサ）を有する。温度センサ４２は、駆動回路３１の温度を検出し、これが所定温度（例えば９０℃）以上の場合、駆動回路３１は、コイルＣへの駆動信号の供給を停止する。これにより、モータ２０をフリーランの状態にしてモータ２０の更なる温度上昇を防ぐことができる。
【００３７】
位置検出部３２は、ステータ２２のコイルＣと電気的に接続される。位置検出部３２は、コイルＣと交わる磁束（鎖交磁束）の時間的変化に起因してコイルＣに発生する逆起電力の波形からロータコア２１の磁極位置を間接的に検出し、それをコイルＣへの通電タイミングを制御する位置検出信号としてＳＷ制御部３３へ出力する。
【００３８】
ＳＷ制御部３３は、誘起電圧定数（Ｋｅ）と、位置検出部３２によって検出されたロータコア２１の磁極位置とに基づいて、ステータコア２２のコイルＣ（三相巻線）を励磁するための制御信号を駆動回路３１へ出力する。すなわち、ＳＷ制御部３３は、位置検出部３２により取得されるロータコアの磁極位置からモータ２０の負荷トルクを検出し、その負荷トルクに基づいてモータ２０を脱調させることなく回転させる制御信号を生成し、これを駆動回路３１へ出力するように構成される。誘起電圧定数は、モータの誘起電圧を制御するための制御パラメータであり、典型的には、ロータコア２１（永久磁石Ｍ）の磁束の強さ、真空ポンプの仕様あるいは運転条件等に応じて決定された任意の値がＳＷ制御部３３にあらかじめ設定される。
【００３９】
ここで、高負荷運転が連続すると、ポンプ本体１０は機械仕事等により発熱し、モータ２０もまた渦電流損失等により発熱する。ロータコア２１の温度が上昇すると、永久磁石Ｍの磁束量が減少し（減磁）、モータ２０が脱調しやすくなる。モータ２０が脱調すると、目的とするポンプ性能が得られなくなる。このためモータ２０の発熱時は、モータ２０を脱調させずにポンプ性能を維持することができる技術が要求される。
【００４０】
本実施形態の真空ポンプ１００は、ロータコア２１（永久磁石Ｍ）の温度を推定し、その推定された温度に基づいて、上記誘起電圧定数を補正するように構成される。つまり、モータ温度の変化によってインバータ（駆動回路３１）に設定する誘起電圧定数とロータコアの永久磁石Ｍの磁束量とがずれてしまうことを防止するため、インバータの誘起電圧定数をモータの磁束量の変化に合わせて補正することにより、モータ２０の脱調を防止する。
【００４１】
ここで、モータ２０の誘起電圧は、駆動回路３１からコイルＣへの入力電圧で制御される。入力電圧は、後述する補正回路３３１の内部電圧（Ｖout）（図９参照）によって決定される。補正回路３３１の内部電圧は、典型的には図６に示すように、モータ温度が高くなるほど低くなるように設定される。補正回路の内部電圧の値は、誘起電圧定数で決定される。
【００４２】
本実施形態の真空ポンプ１００は、ポンプ本体１０の第１のケーシング部１３１の温度に基づいてロータコア２１の温度を推定し、その推定値を基に誘起電圧定数を補正するように構成される。第１のケーシング部１３１は金属製材料で構成されているため、ロータコアの永久磁石と同様の熱時定数を有する。これにより、ロータコア２１および永久磁石Ｍの温度の推定精度が高まり、高負荷運転時におけるモータの適切な駆動制御が実現可能となる。
【００４３】
図７は、４０℃の外気温度で２時間以上連続排気（負荷運転）した後、運転を停止させて大気解放（冷却）したときの真空ポンプ１００の各部の温度変化を示す一実験結果である。同図において、ロータ温度Ｐ１はロータコア２１の温度、コイル温度Ｐ２はコイルＣの温度、ポンプケース温度Ｐ３は第１のケーシング部１３１の温度、モータケース温度Ｐ４はモータケース２４の表面温度をそれぞれ示している。
【００４４】
なお、Ｐ１の測定にはモータケース２４の先端に設置した放射温度計の出力を参照した（測定領域の放射率の違いによる影響を抑えるため、測定領域を黒塗りして放射率を調整した）。Ｐ２〜Ｐ４の計測には各々の部位に設置したサーミスタ等の測温素子の出力を参照した。
【００４５】
図７に示すように、ポンプケース温度Ｐ３は、ロータコア２１（永久磁石Ｍ）と同じＦｅ系の材料で構成された第１のケーシング部１３１の温度に相当し、コイル温度Ｐ２やモータケース温度Ｐ４と比較して、ロータ温度Ｐ１とほぼ同様な温度特性を有する。これは、第１のケーシング部１３１が運転時の昇温源の一つであるポンプ室Ｐに面するとともに、放冷特性がロータコア２１と同等となる熱容量を有することが原因と推定される。したがって、ポンプケース温度Ｐ３を参照することでロータコア２１の温度を比較的高い精度で推定することができる。
【００４６】
そこで本実施形態の真空ポンプ１００は、第１のケーシング部１３１の温度を検出する温度センサ４１（第１の温度センサ）を備える。温度センサ４１にはサーミスタが採用されるが、これに限られず、熱電対等の他の測温素子が採用されてもよい。温度センサ４１の出力は配線ケーブル４３を介してＳＷ制御部３３へ入力される。
【００４７】
温度センサ４１の取り付け方法は特に限定されず、例えば図８に示すように、温度センサ４１は第１のケーシング部１３１の外面にネジ等の適宜の固定具６１を用いて固定される。温度センサ４１が取り付けられる第１のケーシング部１３１の部位も特に限定されず、第１のケーシング部１３１の一端側（隔壁１３２側）でもよいし、他端側（隔壁１３３側）でもよいし、それらの中間部であってもよい。
【００４８】
ＳＷ制御部３３は、温度センサ４１の出力に基づいて、モータ２０の制御パラメータである誘起電圧定数を補正する補正回路３３１を有する。本実施形態において補正回路３３１は、ＳＷ制御部３３の一部として構成されるが、ＳＷ制御部３３とは別回路で構成されてもよい。
【００４９】
図９は、ＳＷ制御部３３と補正回路３３１と温度センサ４１との関係を示す等価回路である。温度センサ４１は分圧抵抗４０を介してＳＷ制御部３３へ接続され、温度センサ４１と分圧抵抗４０とにより構成される分圧回路の出力（Ｖout）が補正回路３３１へ入力される。分圧回路の出力（Ｖout）は、補正回路３３１の内部電圧に相当する。
【００５０】
補正回路３３１は、第１のケーシング部１３１の温度が所定の温度範囲の場合には、第１のケーシング部１３１の温度が高いほどモータ２０の誘起電圧が低下するように誘起電圧定数を補正するように構成される。これにより、モータ２０の熱変動、例えば、モータ温度の上昇に伴う永久磁石Ｍの磁束量の減少によるモータ２０の脱調を防いで、真空ポンプ１００の高負荷連続運転を実現することができる。
【００５１】
例えば図１０は、補正回路３３１による誘起電圧定数の補正の一例を示す概念図であって、温度センサ４１の出力を基に推定されたロータコア２１の温度と誘起電圧定数との関係を示している。補正回路３３１は、ロータコア２１の推定温度が高いほど、誘起電圧定数を小さくする。つまり、モータ温度に関係なく一定の誘起電圧定数でモータ２０を駆動する比較例と異なり、温度上昇に伴う永久磁石Ｍの磁力減少量に見合った誘起電圧定数でモータ２０を駆動する。これにより、モータ２０の脱調を生じさせることなく、真空ポンプ１００を安定に駆動することが可能となる。
【００５２】
さらに図１０の例では、０℃以上の温度範囲において、ロータコア２１の推定温度に対して誘起電圧定数が直線的に変化する。この場合の誘起電圧定数の傾きは、永久磁石Ｍの温度係数に対応するように設定される。永久磁石Ｍの温度係数が非線形の場合には、誘起電圧定数の勾配も非線形となるように設定することができる。誘起電圧定数を補正する温度の下限は０℃に限られず、０℃よりも高温あるいは低温であってもよい。
【００５３】
温度センサ４１の出力に基づくロータコア２１の温度の推定方法について説明する。
図１１に温度センサ４１の出力の温度特性を示す。温度センサ４１には半導体部品であるサーミスタが用いられ、ロータコア２１（永久磁石Ｍ）とは異なる非線形な温度特性を有する。そこで、補正回路３３１は、温度センサ４１の出力に基づき、４０℃〜９０℃の温度範囲においては図中太実線で示すようにロータコア２１（永久磁石Ｍ）の温度を推定する近似直線ＡＰを設定し、近似直線ＡＰに対応する温度をロータコア２１の推定温度として取得する。補正回路３３１は、取得した推定温度を基に、誘起電圧定数を補正する（図１０）。
【００５４】
例えば、温度センサ４１の検出温度が７０℃の場合、補正回路３３１の内部電圧は４．５Ｖである（図１１）。補正回路３３１は、その内部電圧の値に応じたロータコア２１の推定温度を近似直線ＡＰから取得し（本例では８０℃）、当該推定温度に対応する値に誘起電圧定数を補正する（図１０参照）。
【００５５】
さらに本実施形態の補正回路３３１は、図１１に示すように、温度センサ４１により検出される第１のケーシング部１３１の温度が第１の温度Ｔｈ１（４０℃）以上第２の温度Ｔｈ２（７０℃）未満の場合には、第１の温度勾配を有する第１の近似直線ＡＰ１に従って誘起電圧定数を補正する。
一方、温度センサ４１により検出される第１のケーシング部１３１の温度が第２の温度Ｔｈ２以上第３の温度Ｔｈ３（９０℃）未満の場合には、補正回路３３１は、上記第１の温度勾配とは異なる第２の温度勾配を有する第２の近似直線ＡＰ２に従って誘起電圧定数を補正する。
【００５６】
上記第１及び第２の勾配は、４０℃以上９０℃以下における温度センサ４１の出力の温度特性に応じて適宜設定される。本実施形態では当該温度範囲におけるロータコア２１の推定温度が温度センサ４１により検出される温度よりも例えば１０℃程度高くなるように、第１の温度勾配が第２の勾配よりも大きく設定される。このようにロータコア推定温度を若干高めに推定することで、当該温度範囲おけるモータ２０の脱調を確実に防止することができる。
【００５７】
第１〜第３の温度Ｔｈ１〜Ｔｈ３は一例であり、モータの種類や仕様に応じて各々適宜変更可能である。第１及び第２の近似直線ＡＰ１，ＡＰ２も、温度センサ４１の温度特性に応じて適宜設定可能である。近似直線は２つに限られず、１つ又は３つ以上設定されてもよい。近似式は直線に限られず、曲線であってもよい、また、近似式は連続的でなくてもよく、離散的であってもよい。
【００５８】
補正回路３３１は、第１のケーシング部１３１の温度が第１の温度Ｔｈ１（４０℃）未満の場合、ロータコア２１（永久磁石Ｍ）の温度を第１の温度Ｔｈ１と推定する。一方、補正回路３３１は、第１のケーシング部１３１の温度が第３の温度Ｔｈ３（９０℃）以上の場合、ロータコア２１（永久磁石Ｍ）の温度を第３の温度Ｔｈ３と推定する。駆動回路３１の温度が９０℃以上になると、上述のように、温度センサ４２（図５参照）の出力に基づいて駆動回路３１は駆動信号の生成を停止する。
【００５９】
補正回路３３１は、温度センサ４１の配線ケーブル４３の断線を検出したとき、真空ポンプ２０の駆動が停止するようにモータ２０を停止させ、あるいはフリーランの状態にするように駆動回路３１を制御するように構成される。配線ケーブル４３の断線は、分圧回路の出力（Ｖout）（図９参照）に基づいて検出することができる。
【００６０】
［真空ポンプの動作］
次に、以上のように構成される本実施形態の真空ポンプ１００の典型的な動作について説明する。
【００６１】
図１２は、制御ユニット３０によって実行される処理手順の一例を示すフローチャートである。
【００６２】
真空ポンプ１００の運転が開始されると、制御ユニット３０は、あらかじめ設定された（補正前の）誘起電圧定数（Ｋｅ）を基にモータ２０を所定の回転数で回転させる駆動信号を生成する。モータ２０の作動により第１及び第２のポンプロータ１１，１２が回転し、吸気口Ｅ１より吸入された図示しない真空チャンバ内の気体を排気口Ｅ２から排出する所定のポンプ作用が行われる。
【００６３】
高負荷運転が連続すると、ポンプ本体１０は機械仕事等により発熱し、モータ２０もまた渦電流損失等により発熱する。ロータコア２１の温度が上昇すると、永久磁石Ｍの磁束量が減少し（減磁）、モータ２０が脱調しやすくなる。モータ２０が脱調すると、目的とするポンプ性能が得られなくなる。
【００６４】
そこで、制御ユニット３０（補正回路３３１）は、ポンプ本体１０の一部を構成する鉄系のケーシング部（第１のケーシング部１３１）に取り付けられた温度センサ４１の出力に基づいて、モータ２０の誘起電圧を制御するための誘起電圧定数を補正する。
【００６５】
より詳細には、図１２に示すように、補正回路３３１は、温度センサ４１（第１の温度センサ）の出力に基づいて第１のケーシング部１３１の温度を取得する（ステップ１０１）。そして、補正回路３３１は、第１のケーシング部１３１の温度が第１の温度Ｔｈ１（４０℃）以上か否か判定し、第１の温度Ｔｈ１未満の場合は、ロータコア２１（永久磁石Ｍ）の温度を第１の温度Ｔｈ１と推定し、制御定数を変更することなくモータ２０の駆動を継続する（ステップ１０２，１０３）。
【００６６】
一方、第１のケーシング部１３１の温度が第１の温度Ｔｈ１以上、第２の温度Ｔｈ２（７０℃）未満の場合、補正回路３３１は、第１の近似直線ＡＰ１に従って、誘起電圧を低下させるように誘起電圧定数を補正する（図６，１０，１１、ステップ１０４，１０５）。
補正回路３３１は、第１のケーシング部１３１の温度が第２の温度Ｔｈ２以上、第３の温度Ｔｈ３（９０℃）未満の場合には、第２の近似直線ＡＰ２（図１１参照）に従って、誘起電圧を低下させるように誘起電圧定数を補正する（図６，１０，１１ステップ１０６，１０７）。
【００６７】
以上のように、第１のケーシング部１３１の温度が高くなるほどモータ２０の誘起電圧が低下するように誘起電圧定数を補正するようにしているため、モータ２０の脱調を生じさせることなく、真空ポンプ１００を安定に駆動することが可能となる。モータ２０の誘起電圧の補正の前後において、典型的には、回転数は変化せず一定に維持される。このため、ポンプ性能は安定に維持される。
【００６８】
メカニカルブースタポンプでは、さらに高負荷（大気圧近傍）において、しばしば回転数を下げてポンプを保護するトルクリミッタを使用する場合がある。その場合は、ポンプの仕事が低下して、モータロータ温度およびポンプ本体温度が低下するため、それに追従して誘電圧定数を上げて、トルクリミッタ中も安定制御を実現する。
【００６９】
第１のケーシング部１３１の温度が第３の温度Ｔｈ３以上の場合、制御ユニット３０は、ロータコア２１（永久磁石Ｍ）の温度を第３の温度と推定し、第３の温度に応じた誘起電圧定数で引き続きモータ２０を駆動する。モータ２０の温度がさらに上昇すると、駆動回路３１内の温度センサ４２の出力に基づき、駆動回路３１による駆動信号の生成が停止し、モータ２０をフリーランの状態にさせる。配線ケーブル４３の断線等により温度センサ４１からの出力が得られないときも同様に、モータ２０をフリーランの状態にさせる。
以上の動作は、真空ポンプ１００の運転停止操作が行われるまで、繰り返し実行される（ステップ１０９）。
【００７０】
本実施形態によれば、温度センサ４１が、ロータコア２１の永久磁石Ｍと同様の熱時定数を有する材料で構成された第１のケーシング部１３１の温度を検出するように構成されているため、永久磁石Ｍの温度の推定精度が高められる。これにより、高負荷運転時におけるモータの適切な駆動制御を実現することができる。そして、高負荷（高圧力）領域でのポンプ性能を安定に維持することができるため、排気時間を短縮でき、真空処理の生産性を向上させることができる。
【００７１】
本実施形態によれば、ロータコア２１（永久磁石Ｍ）の温度に応じてモータ２０の誘起電圧定数を補正するようにしているため、モータ２０の冷却に比較的大容量の冷却構造を必要とすることなく、モータ２０を脱調させずに駆動することができる。このような効果は、永久磁石同期型のキャンドモータを備えた真空ポンプの設備コストの低減に大きく貢献することができる。
【００７２】
さらに本実施形態によれば、駆動回路３１の温度を検出する温度センサ４２を、ロータコア２１の温度推定用の温度センサ４１とは別に設けられているため、駆動回路３１の温度を適切に検出して、駆動回路３１の保護を図ることができる。
【００７３】
以上、本発明の実施形態について説明したが、本発明は上述の実施形態にのみ限定されるものではなく種々変更を加え得ることは勿論である。
【００７４】
例えば以上の実施形態では、真空ポンプとしてメカニカルブースタポンプを例に挙げて説明したが、これに限られず、スクリューポンプや多段ルーツポンプ等の他の容積移送型真空ポンプに本発明は適用可能である。
【００７５】
また、以上の実施形態では、温度センサ４１がポンプ本体１０の第１のケーシング部１３１の温度を検出するように構成されたが、これに限られず、温度センサ４１は、隔壁１３２，１３３あるいは第２のケーシング部１３４の温度を検出するように構成されてもよい。
【符号の説明】
【００７６】
１０…ポンプ本体
１１ｓ，１２ｓ…回転軸
２０…モータ
２１…ロータコア
２２…ステータコア
２３…キャン
２４…モータケース
３０…制御ユニット
３１…駆動回路
３２…位置検出部
３３…ＳＷ制御部
４１…第１の温度センサ
４２…第２の温度センサ
１００…真空ポンプ
１３１…第１のケーシング部
３３１…補正回路
Ｍ…永久磁石
【要約】
本発明の一形態に係る真空ポンプは、ポンプ本体と、第１の温度センサと、モータと、制御ユニットとを具備する。上記ポンプ本体は、回転軸と、金属製のケーシング部とを有する。上記第１の温度センサは、上記ケーシング部に取り付けられ、上記ケーシング部の温度を検出する。上記モータは、永久磁石を含み上記回転軸に取り付けられたロータコアと、複数のコイルを有するステータコアと、上記ロータコアを収容するキャンと、を有する。上記制御ユニットは、駆動回路と、補正回路とを有する。上記駆動回路は、あらかじめ設定された誘起電圧定数を基に上記モータを回転させる駆動信号を上記複数のコイルへ供給する。上記補正回路は、上記第１の温度センサの出力に基づいて上記誘起電圧定数を補正する。【図１】
0006445227.tif 000002
【図２】
0006445227.tif 000003
【図３】
0006445227.tif 000004
【図４】
0006445227.tif 000005
【図５】
0006445227.tif 000006
【図６】
0006445227.tif 000007
【図７】
0006445227.tif 000008
【図８】
0006445227.tif 000009
【図９】
0006445227.tif 000010
【図１０】
0006445227.tif 000011
【図１１】
0006445227.tif 000012
【図１２】
0006445227.tif 000013